(57)【要約】      （修正有）【課題】取引価格の過度な低下を抑制しつつ出品物が購入される可能性を向上させることができる出品物取引処理装置、出品物取引処理方法および出品物取引処理プログラムを提供する。【解決手段】出品物取引処理装置１は、出品受付部４１と、取引価格変更部４５と、提示順位決定部４７と、閲覧処理部４２とを備える。出品受付部は、出品物の取引価格の設定を受け付ける。取引価格変更部は、取引価格を段階的に下げる。提示順位決定部は、取引価格変更部によって取引価格が下げられる出品物に対する注目度に基づいて、出品物の提示順位を決定する。閲覧処理部は、提示順位決定部によって決定された提示順位に従った提示位置に出品物の情報が配置された出品物一覧画面の情報を生成し、出品物一覧画面の情報を端末装置へ送信する。【選択図】図４
2018049371.tif 000002
【特許請求の範囲】
【請求項１】
出品物の取引価格の設定を受け付ける受付部と、
前記取引価格を段階的に下げる取引価格変更部と、
前記取引価格変更部によって前記取引価格が下げられる前記出品物に対する注目度に基づいて、前記出品物の提示順位を決定する提示順位決定部と、を備える
ことを特徴とする出品物取引処理装置。
【請求項２】
前記提示順位決定部によって決定された提示順位で前記出品物の情報を配信する配信部を備える
ことを特徴とする請求項１に記載の出品物取引処理装置。
【請求項３】
前記提示順位決定部によって決定された提示順位の情報を配信する配信部を備える
ことを特徴とする請求項１に記載の出品物取引処理装置。
【請求項４】
前記提示順位決定部は、
前記注目度が高いほど、前記出品物の提示順位を優先的に上位にする
ことを特徴とする請求項１〜３のいずれか一つに記載の出品物取引処理装置。
【請求項５】
前記出品物の閲覧数、前記出品物の選択登録数、および、前記出品物の評価ランクの少なくとも一つに基づいて前記注目度を判定する注目度判定部を備える
ことを特徴とする請求項４に記載の出品物取引処理装置。
【請求項６】
前記提示順位決定部は、
前記取引価格の変動と前記注目度とに基づいて、前記出品物の提示順位を決定する
ことを特徴とする請求項４または５に記載の出品物取引処理装置。
【請求項７】
前記提示順位決定部は、
前記注目度が新しいほど前記提示順位を上位にしつつ、前記取引価格の変動に基づいて前記提示順位を上位に繰り上げる
ことを特徴とする請求項４〜６のいずれか一つに記載の出品物取引処理装置。
【請求項８】
前記提示順位決定部は、
前記出品物の出品開始日時が新しいほど前記提示順位を上位にしつつ、前記注目度に基づいて前記提示順位を上位に繰り上げる
ことを特徴とする請求項４〜６のいずれか一つに記載の出品物取引処理装置。
【請求項９】
前記提示順位決定部は、
前記取引価格が高いほどまたは低いほど前記提示順位を上位にしつつ、前記注目度の変動に基づいて前記提示順位を上位に繰り上げる
ことを特徴とする請求項４〜８のいずれか一つに記載の出品物取引処理装置。
【請求項１０】
各ユーザが注目した出品物の情報を記憶する記憶部を備え、
前記提示順位決定部は、
前記出品物の提示先になるユーザが注目した出品物との類似度が高いほど前記出品物の提示順位を優先的に上位にする
ことを特徴とする請求項１〜９のいずれか一つに記載の出品物取引処理装置。
【請求項１１】
前記提示順位決定部は、
前記出品物の提示先になるユーザが注目して購入に至っていない出品物との類似度が高い出品物ほど前記提示順位を優先的に上位にする
ことを特徴とする請求項１０に記載の出品物取引処理装置。
【請求項１２】
前記提示順位決定部は、
前記提示先になるユーザが注目して購入に至った出品物を、前記出品物の提示先になるユーザが注目した出品物から除外する
ことを特徴とする請求項１０または１１に記載の出品物取引処理装置。
【請求項１３】
コンピュータが実行する出品物取引処理方法であって、
出品物の取引価格の設定を受け付ける受付工程と、
前記取引価格を段階的に下げる取引価格変更工程と、
前記取引価格変更工程によって前記取引価格が下げられる前記出品物に対する注目度に基づいて、前記出品物の提示順位を決定する提示順位決定工程と、を含む
ことを特徴とする出品物取引処理方法。
【請求項１４】
出品物の取引価格の設定を受け付ける受付手順と、
前記取引価格を段階的に下げる取引価格変更手順と、
前記取引価格変更手順によって前記取引価格が下げられる前記出品物に対する注目度に基づいて、前記出品物の提示順位を決定する提示順位決定手順と、
をコンピュータに実行させることを特徴とする出品物取引処理プログラム。
【発明の詳細な説明】
【技術分野】
【０００１】
本発明は、出品物取引処理装置、出品物取引処理方法および出品物取引処理プログラムに関する。
【背景技術】
【０００２】
近年、インターネットの飛躍的な普及に伴い、ネットワークを介して企業間、企業個人間、個人間での出品物取引が広く行われている。例えば、ネットワークを介してフリーマーケット形式で商品の売買を行うための出品物取引サービスが知られており、かかる出品物取引サービスにおいて、利用者は設定された取引価格で出品物を即座に購入することができる。
【０００３】
できるだけ高い価格で購入されるような取引価格を出品者が設定することが難しい場合、設定された取引価格が固定的であると、出品物が購入されない可能性が高くなる。そこで、出品物が購入される可能性を高めるために、出品者による設定に応じて段階的に取引価格を下げる技術が提案されている（例えば、特許文献１参照）。
【先行技術文献】
【特許文献】
【０００４】
【特許文献１】特開２００９−２７７２０７号公報
【発明の概要】
【発明が解決しようとする課題】
【０００５】
しかしながら、例えば、出品物の提示順位を出品順とした場合、時間の経過に従って出品物の提示順位が遅れるため、出品開始日時からの時間経過が長くなると、出品物の取引価格を引き下げても出品物が購入される可能性が低減する。
【０００６】
本願は、上記に鑑みてなされたものであって、取引価格の過度な低下を抑制しつつ出品物が購入される可能性を向上させることができる出品物取引処理装置、出品物取引処理方法および出品物取引処理プログラムを提供することを目的とする。
【課題を解決するための手段】
【０００７】
本願に係る出品物取引処理装置は、受付部と、取引価格変更部と、提示順位決定部と、配信部とを備える。前記受付部は、出品物の取引価格の設定を受け付ける。前記取引価格変更部は、取引価格を段階的に下げる。前記提示順位決定部は、前記取引価格変更部によって前記取引価格が下げられる前記出品物に対する注目度に基づいて、前記出品物の提示順位を決定する。
【発明の効果】
【０００８】
実施形態の一態様によれば、取引価格の過度な低下を抑制しつつ出品物が購入される可能性を向上させることができる出品物取引処理装置、出品物取引処理方法および出品物取引処理プログラムを提供することができる。
【図面の簡単な説明】
【０００９】
【図１】図１は、実施形態に係る出品物取引処理の説明図である。
【図２】図２は、実施形態に係る取引システムの構成例を示す図である。
【図３】図３は、実施形態に係る端末装置の一例を示す図である。
【図４】図４は、実施形態に係る出品物取引処理装置の構成例を示す図である。
【図５】図５は、出品物登録画面の一例を示す図である。
【図６】図６は、出品情報記憶部に記憶される出品情報テーブルの一例を示す図である。
【図７】図７は、端末装置に表示された出品物一覧画面の一例を示す図である。
【図８】図８は、端末装置に表示された出品物画面の一例を示す図である。
【図９】図９は、取引価格の変化の一例を示す図である。
【図１０】図１０は、実施形態に係る出品物取引処理装置における情報処理の流れを示すフローチャートである。
【図１１】図１１は、図１０に示すステップＳ１５の処理の一例を示す図である。
【図１２】図１２は、出品物取引処理プログラムを実行するコンピュータのハードウェア構成の一例を示す図である。
【発明を実施するための形態】
【００１０】
以下に、本願に係る出品物取引処理装置、出品物取引処理方法および出品物取引処理プログラムを実施するための形態（以下、「実施形態」と呼ぶ）について図面を参照しつつ詳細に説明する。なお、この実施形態により本願に係る出品物取引処理装置、出品物取引処理方法および出品物取引処理プログラムが限定されるものではない。
【００１１】
〔１．出品物取引処理〕
図１を用いて、実施形態に係る出品物取引処理について説明する。図１は、実施形態に係る出品物取引処理の説明図であり、本実施形態においては、出品物取引サービスを提供する出品物取引処理装置１によって出品物取引処理が実行される。
【００１２】
図１に示す例では、ユーザＵ１が出品者として商品Ｄを出品物とした出品要求を端末装置２１から出品物取引処理装置１へ送信する（ステップＳ１）。出品要求には、例えば、商品Ｄの説明、商品Ｄの画像、開始価格、最低価格などの情報が含まれる。開始価格は、出品開始時の商品Ｄの取引価格Ｐであり、最低価格は、商品Ｄの取引価格Ｐの最低価格である。
【００１３】
出品物取引処理装置１は、端末装置２１から出品要求を受け付けると、かかる出品要求に含まれる出品情報に基づいて、出品処理を開始する。かかる出品処理が行われた後、出品物取引処理装置１を利用するユーザＵ２の端末装置２２からの一覧要求があると（ステップＳ２）、出品物取引処理装置１は、出品物一覧画面６１の情報を送信する（ステップＳ３）。かかる出品物一覧画面６１の情報に基づいて、端末装置２２の表示部１２に出品物一覧画面６１が表示される。
【００１４】
出品物取引処理装置１は、出品開始日時が新しい出品物ほど優先して上位に提示されるように出品物一覧画面６１を生成する。そのため、端末装置２２の表示部１２に表示されている出品物一覧画面６１のように、商品Ｄの提示位置（提示順位の一例）は、最上位である位置Ｌ１であり、かかる位置Ｌ１に商品Ｄの情報が表示される。出品物一覧画面６１の位置Ｌ１を選択（例えば、クリック）することによって、商品Ｄの出品情報に応じた出品物画面が端末装置２２の表示部１２に表示される。
【００１５】
図１に示す例では、端末装置２２の表示部１２には位置Ｌ１〜Ｌ１５に出品物の情報が表示されており、ユーザＵ２は、は出品物一覧画面６１をスクロール操作することによって、位置Ｌ１６以降の出品物を確認することができる。
【００１６】
その後、出品物取引処理装置１を利用するユーザＵ３の端末装置２３からの一覧要求があると（ステップＳ４）、出品物取引処理装置１は、出品物一覧画面６１の情報を送信する（ステップＳ５）。かかる出品物一覧画面６１の情報に基づいて、端末装置２３の表示部１２に出品物一覧画面６１が表示される。
【００１７】
上述したように、出品開始日時が新しい出品物ほど優先して上位に表示されることから、商品Ｄの情報は、時間の経過と共に、提示位置が下位の位置になる。図１に示す例では、端末装置２３の表示部１２に表示されている出品物一覧画面６１のように、商品Ｄの提示位置は位置Ｌ１から繰り下がった位置Ｌ３３であり、かかる位置Ｌ３３に商品Ｄの情報が表示されている。
【００１８】
出品物取引処理装置１は、商品Ｄの取引価格Ｐを開始価格に設定した後、商品Ｄが購入されない状態が継続する場合、取引価格Ｐを段階的に下げる処理を行う（ステップＳ６）。このように、出品物取引処理装置１は、出品物が購入されない状態が継続する場合には、取引価格Ｐを段階的に下げる処理を行う。
【００１９】
そのため、例えば、出品者による取引価格Ｐの設定が出品物の購入を検討している利用者（以下、購入検討者と記載する）が出品物を購入しようとする価格と乖離しているような場合であっても、出品物が購入されない可能性を低減することができる。一方で、上述のように、商品Ｄの情報は、時間の経過と共に、提示位置が下位の位置になるため、商品Ｄの取引価格Ｐが段階的に下げられても、商品Ｄの存在が把握される可能性が減少していく。
【００２０】
そこで、出品物取引処理装置１は、商品Ｄに対する注目度Ｄａの情報を取得する処理を行う（ステップＳ７）。商品Ｄに対する注目度Ｄａは、例えば、商品Ｄに対するコメント数、商品Ｄに対するお気に入り登録数、商品Ｄの出品物画面（出品物ページ）の閲覧数などに基づいて判定される。
【００２１】
そして、出品物取引処理装置１は、出品物の提示位置を決定する（ステップＳ８）。出品物取引処理装置１は、出品開始日時の新しい順（以下、新着順と記載する場合がある）に出品物の提示位置を決定することに加え、注目度Ｄａの高い順（以下、注目順と記載する場合がある）に出品物の提示位置を決定することができる。
【００２２】
出品物取引処理装置１は、出品物取引処理装置１を利用するユーザＵ４の端末装置２４から注目順の一覧要求があると（ステップＳ９）、出品物取引処理装置１は、注目順に決定された出品物の提示位置で配列された出品物一覧画面６１の情報を配信する（ステップＳ１０）。
【００２３】
かかる出品物一覧画面６１の情報に基づいて、端末装置２４の表示部１２に出品物一覧画面６１が表示される。図１に示す例では、端末装置２４の表示部１２に表示されている出品物一覧画面６１のように、商品Ｄの提示位置は位置Ｌ３３から上位に繰り上がった位置Ｌ８であり、かかる位置Ｌ８に商品Ｄの情報が表示されている。
【００２４】
商品Ｄの注目度Ｄａが高い場合、商品Ｄは購入される可能性があるものの、新着順の一覧表示では提示位置が下位に移動するため、商品Ｄの取引価格Ｐを下げても購入されない可能性がある。
【００２５】
一方、注目順の一覧表示では、商品Ｄの注目度が高い場合、商品Ｄの提示位置を新着順の提示位置に比べて、上位に繰り上げることができる。そのため、商品Ｄの取引価格Ｐの過度な低下を抑制しつつ商品Ｄが購入される可能性を向上させることができる。
【００２６】
また、出品物取引処理装置１は、注目順の提示位置を取引価格Ｐの下げ幅ΔＰに応じて調整した順（以下、注目調整順と記載する）に出品物の提示位置を決定することができる。例えば、出品物取引処理装置１は、注目順の提示位置を取引価格Ｐの下げ幅ΔＰの大きさに応じて繰り上げることによって、出品物の提示位置を決定することができる。
【００２７】
これにより、注目度Ｄａに加え取引価格Ｐの下げ幅ΔＰが大きいほど、商品Ｄの提示位置を上位に繰り上げることができるため、取引価格Ｐの下げ幅ΔＰが大きくなっている場合に、出品物が購入される可能性をより向上させることができる。
【００２８】
また、出品物取引処理装置１は、新着順の提示位置を注目度Ｄａに応じて調整した順（以下、新着調整順と記載する）に出品物の提示位置を決定することができる。例えば、出品物取引処理装置１は、出品開始日時の新しさ順の提示位置を注目度Ｄａの大きさに応じて繰り上げることによって、出品物の提示位置を決定することができる。
【００２９】
これにより、出品開始日時の新しさ順の提示位置をベースとしながらも、商品Ｄの提示位置を商品Ｄに対する注目度Ｄａが高ければ商品Ｄの提示位置を上位に繰り上げることができる。なお、出品物取引処理装置１は、新しさ順の提示位置をベースとしつつ、注目度Ｄａに加え、さらに商品Ｄの取引価格Ｐの下げ幅ΔＰが高いほど商品Ｄの提示位置を上位に繰り上げることもできる。
【００３０】
また、上述した実施形態では、出品物取引処理装置１は、出品物の提示順位を出品物の提示位置として説明したが、かかる例に限定されない。例えば、出品物取引処理装置１は、出品情報に応じた出品物毎の画面を動的に切り替える場合には、出品物の提示順位は出品物が画面に出現する順番である。
【００３１】
また、端末装置２は、出品物取引処理装置１で決定された出品物の提示順位に基づいて、出品物一覧画面６１を生成することもできる。この場合、出品物取引処理装置１は、出品物一覧画面６１の情報として、出品物の提示順位の情報を含む情報を端末装置２へ送信する。端末装置２は、出品物の提示順位の情報に基づいて出品物の情報を配列して出品物一覧画面６１を生成して表示する。
【００３２】
なお、上述した出品物取引処理は、取引価格Ｐで購入が行われる出品物取引処理であればよく、取引価格Ｐを段階的に下げる出品物取引処理に限定されない。すなわち、出品物取引処理装置１は、取引価格Ｐで購入が行われる出品物取引処理において、出品物に対する注目度に基づいて、出品物の提示順位を決定することができればよい。これにより、出品物が購入される可能性を向上させることができる。
【００３３】
〔２．取引システム〕
図２は、実施形態に係る取引システムの構成例を示す図である。図２に示すように、実施形態に係る取引システム１００は、出品物取引処理装置１と、複数の端末装置２１〜２ｎ（ｎは、２以上の整数）とを備える。
【００３４】
これら出品物取引処理装置１および複数の端末装置２１〜２ｎ（以下、端末装置２と総称する場合がある）は、ネットワーク３を介して有線または無線により互いに通信可能に接続される。ネットワーク３は、例えば、ＬＡＮ（Local  Area  Network）や、インターネットなどのＷＡＮ（Wide  Area  Network）である。端末装置２１〜２ｎは、ユーザＵ１〜Ｕｎ（以下、ユーザＵと総称する場合がある）によって操作される。
【００３５】
端末装置２は、例えば、スマートフォン、タブレット型端末、ＰＤＡ（Personal  Digital  Assistant）、パーソナルコンピュータ等であり、通信部１０と、制御部１１（コントローラ）と、表示部１２と、操作部１３と、記憶部１４とを備える。図３は、端末装置２の一例を示す図である。
【００３６】
制御部１１は、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。表示部１２は、例えば、ＬＣＤ（Liquid  Crystal  Display）であり、操作部１３は、例えば、キーボードやタッチパネルなどである。
【００３７】
制御部１１は、処理部１５と、表示制御部１６を備える。かかる処理部１５および表示制御部１６の機能は、例えば、制御部１１のＣＰＵが制御部１１のＲＯＭに記憶されている出品物取引処理アプリケーションのプログラムを読み出して実行することにより実現される。
【００３８】
処理部１５は、ユーザＵの操作部１３への操作を検出し、かかる操作に応じた要求を出品物取引処理装置１へ送信する。また、表示制御部１６は、出品物取引処理装置１から送信される各種の画面の情報やユーザＵの操作部１３への入力操作に応じた情報を表示部１２に表示し、ユーザＵの操作部１３を用いたスクロール操作に応じて表示画面をスクロール表示させることができる。
【００３９】
出品物取引処理装置１は、図４に示すように、通信部２０と、記憶部２１と、制御部２２（コントローラ）とを備え、端末装置２のユーザＵに出品物取引サービスを提供する。図４は、実施形態に係る出品物取引処理装置１の構成例を示す図である。以下、通信部２０、記憶部２１および制御部２２の順に具体的に説明する。
【００４０】
〔２．１．通信部２０〕
通信部２０は、ネットワーク３との間で情報の送受信を行う通信インターフェイスであり、ネットワーク３との接続を有線または無線で行う。制御部２２は、通信部２０およびネットワーク３を介して、端末装置２１〜２ｎとの間で各種の情報を送受信することができる。
【００４１】
〔２．２．記憶部２１〕
記憶部２１は、ユーザ情報記憶部３１と、出品情報記憶部３２とを有する。ユーザ情報記憶部３１および出品情報記憶部３２は、例えば、ＲＡＭ、フラッシュメモリ等の半導体メモリ素子、または、ＨＤＤ（Hard  Disk  Drive）、光ディスク等の記憶装置である。
【００４２】
ユーザ情報記憶部３１は、ユーザＵの識別情報であるユーザＩＤ、ユーザＵの属性（例えば、年齢、性別）、ユーザＵが登録した他のユーザＵの出品物の情報および他のユーザＵによる評価などを記憶する。出品情報記憶部３２は、出品物に関する情報を記憶する。
【００４３】
〔２．３．制御部２２〕
制御部２２は、例えば、ＣＰＵ、ＲＯＭ、ＲＡＭ、入出力ポートなどを有するマイクロコンピュータや各種の回路を含む。制御部２２は出品受付部４１（受付部の一例）と、閲覧処理部４２（配信部の一例）と、登録処理部４３と、購入処理部４４と、取引価格変更部４５と、注目度判定部４６と、提示順位決定部４７とを備える。
【００４４】
かかる出品受付部４１、閲覧処理部４２、登録処理部４３、購入処理部４４、取引価格変更部４５、注目度判定部４６および提示順位決定部４７の機能は、例えば、制御部２２のＣＰＵが制御部２２のＲＯＭに記憶されているプログラムを読み出して実行することにより実現される。
【００４５】
なお、出品受付部４１、閲覧処理部４２、登録処理部４３、購入処理部４４、取引価格変更部４５、注目度判定部４６および提示順位決定部４７は、それぞれ一部または全部がＡＳＩＣ（Application  Specific  Integrated  Circuit）やＦＰＧＡ（Field  Programmable  Gate  Array）等のハードウェアで構成されてもよい。
【００４６】
〔２．３．１．出品受付部４１〕
出品受付部４１は、例えば、出品者の端末装置２から出品情報を含む出品要求を受け付ける。出品情報は、出品物に関する情報であり、例えば、出品者のユーザＩＤ、商品名、商品説明、開始価格Ｐｓｔａｒｔ、最低価格Ｐｍｉｎ、登録履歴、コメント履歴、価格変更設定、注目度Ｄａなどの情報を含む。
【００４７】
端末装置２のユーザＵは、例えば、出品受付部４１から提供される出品物登録画面に出品情報を入力し、入力した出品情報を含む出品要求を端末装置２から出品物取引処理装置１へ送信することができる。図５は、出品物登録画面５０の一例を示す図であり、かかる出品物登録画面５０の情報は、出品物取引処理装置１から端末装置２へ送信され、端末装置２の表示制御部１６によって表示部１２に表示される。
【００４８】
図５に示す出品物登録画面５０には、商品名入力枠５１、商品説明入力枠５２、開始価格入力枠５３、最低価格入力枠５４、価格変更設定枠５５および商品画像設定枠５６が含まれており、端末装置２のユーザＵは、各枠５１〜５６へ出品物に応じた情報を入力または設定することができる。
【００４９】
商品名入力枠５１は、出品物の名称である商品名が入力される枠であり、商品説明入力枠５２は、出品物の説明文が入力される枠である。開始価格入力枠５３は、出品物の取引価格Ｐの初期値である開始価格Ｐｓｔａｒｔが入力される枠であり、最低価格入力枠５４は、取引価格Ｐの最低値である最低価格Ｐｍｉｎが入力される枠である。
【００５０】
価格変更設定枠５５は、取引価格Ｐの動的な変更を許可するか否かを設定するためのチェックボックスである。価格変更設定枠５５にチェックマークが設定されるように、ユーザＵは、操作部１３を操作して、取引価格Ｐの動的な変更を許可する状態に設定することができる。また、商品画像設定枠５６には、ユーザＵによる操作部１３の操作によって、出品物の画像を１以上設定することができる。
【００５１】
端末装置２のユーザＵは、操作部１３を操作して、出品物登録画面５０のそれぞれの枠５１〜５６に、商品名、商品説明、開始価格Ｐｓｔａｒｔ、最低価格Ｐｍｉｎ、価格変更設定の有無、出品物の画像を設定し、出品ボタン５７を選択（クリック）する。これにより、ユーザＵによって設定された情報が出品情報として含まれる出品要求が端末装置２の処理部１５によって出品物取引処理装置１へ送信される。
【００５２】
出品受付部４１は、出品者の端末装置２から出品情報を含む出品要求を受け付けた場合、出品要求に含まれる情報を出品情報記憶部３２に記憶された出品情報テーブルに設定する。図６は、出品情報記憶部３２に記憶される出品情報テーブルの一例を示す図である。
【００５３】
図６に示す出品情報テーブルは、「出品ＩＤ」に対し、「出品者ＩＤ」、「商品名」、「商品説明」、「出品開始日時」、「開始価格」、「現在価格」、「最低価格」、「登録履歴」、「コメント履歴」、「閲覧履歴」、「価格変更設定」、「注目度」が関連付けられた情報である。
【００５４】
「出品ＩＤ」は、出品要求毎に割り当てられる識別情報であり、「出品者ＩＤ」は、出品要求の出品情報に含まれる出品者のユーザＩＤである。なお、ユーザＵ１〜Ｕｎは、出品物取引処理装置１が提供する出品物取引サービスのユーザであり、ユーザＵ１〜ＵｎのユーザＩＤは、Ｕ１〜Ｕｎ（ｎは２以上の整数）であるものとする。
【００５５】
また、「出品者ＩＤ」、「商品名」、「商品説明」、「開始価格」、「最低価格」および「価格変更設定」は、出品要求の出品情報に含まれる商品名、商品説明、開始価格Ｐｓｔａｒｔ、最低価格Ｐｍｉｎおよび価格変更設定のそれぞれの情報が割り当てられる。「価格変更設定」は、取引価格Ｐの動的な変更を許可するか否かを示す情報である。
【００５６】
「出品開始日時」は、出品物取引サービスにおいて出品物の出品が開始された日時であり、「現在価格」は、現時点での取引価格Ｐの情報である。「登録履歴」は、出品物画面（図８参照）の登録ボタン６５が選択（押下）された日時や回数（以下、登録数Ｎｅと記載する）などの情報であり、「コメント履歴」は、出品物取引に関して書き込まれたコメントやコメントの数（以下、コメント数Ｎｃと記載する）の情報である。また、「閲覧履歴」は、後述する出品物画面（図８参照）が閲覧された日時、出品物画面を閲覧したユーザＵのユーザＩＤ、出品物画面が閲覧された回数（以下、閲覧数Ｎｖと記載する）などの情報である。「注目度」は、出品物に対するユーザＵの注目度である。
【００５７】
例えば、出品ＩＤ「Ｃ１」に対し、出品者のユーザＩＤ「Ｕ１」、商品名「商品Ａ」、商品説明「新品同様・・・」、出品開始日時「３／１０  １８：００」、開始価格「￥６００」、現在価格「￥５５０」、最低価格「￥４００」、価格変更設定「あり」、注目度「５．６４」などがそれぞれ関連付けられて出品情報として出品情報記憶部３２に記憶される。
【００５８】
また、出品ＩＤ「Ｃ２」に対し、出品者のユーザＩＤ「Ｕ２」、商品名「商品Ｂ」、商品説明「少し汚れ・・・」、出品開始日時「３／１１  １２：００」、開始価格「￥８００」、現在価格「￥８００」、価格変更設定「なし」、注目度「０．３５」などがそれぞれ関連付けられて出品情報として出品情報記憶部３２に記憶される。なお、出品ＩＤ「Ｃ２」の出品物については、価格変更設定「なし」が設定されているため、出品ＩＤ「Ｃ２」に対しては取引価格Ｐに対する動的な変更処理は適用されない。
【００５９】
また、図６に示す例では、出品ＩＤ「Ｃ３」に対し、最低価格は設定されておらず、価格変更設定「あり」が設定されている。そのため、出品ＩＤ「Ｃ３」の出品物に対して、は取引価格Ｐに対する動的な価格変更処理が適用され、かつ、取引価格Ｐの下限値は、出品物取引処理装置１において予め設定された固定値になる。かかる固定値は、例えば、開始価格から所定割合の値または所定値（例えば、￥１００）である。
【００６０】
出品受付部４１は、出品要求に対応する出品物の出品物取引処理が開始された後に、出品要求時に設定していない情報を含む追加設定要求を受け付け、かかる追加設定要求に含まれる情報を出品情報テーブルに設定する。これにより、例えば、出品要求時に最低価格や価格変更設定の情報が設定されていない状態であっても、出品物の取引開始後に最低価格や価格変更設定を設定することができる。また、出品要求時に設定した情報であっても、出品物の取引開始後に変更（再設定）することができる。
【００６１】
また、出品受付部４１は、出品要求に対応する出品物の出品物取引処理が開始された後に、端末装置２から出品要求時に設定された情報のうち１以上の情報の設定を解除する設定解除要求を受け付け、かかる設定解除要求に含まれる情報を出品情報テーブルから削除することもできる。
【００６２】
〔２．３．２．閲覧処理部４２〕
閲覧処理部４２（図４参照）は、端末装置２から閲覧要求を受け付ける。かかる閲覧要求には、例えば、端末装置２のユーザＵのユーザＩＤなどの情報が含まれる。閲覧処理部４２は、端末装置２からの閲覧要求を受け付けると、出品物一覧画面の情報を端末装置２へ送信する。これにより、出品物の情報が端末装置２へ配信される。
【００６３】
なお、閲覧要求は、例えば、端末装置２における出品物取引処理アプリケーションの起動時に端末装置２の処理部１５から出品物取引処理装置１へ送信される。また、閲覧要求は、例えば、配列条件を指定する情報や、端末装置２のユーザＵによって指定されたキーワード（以下、指定キーワードと記載する）や商品カテゴリ（以下、指定カテゴリと記載する）などの情報を含んでいてもよい。
【００６４】
図７は、端末装置２に表示された出品物一覧画面６１の一例を示す図である。図７に示す出品物一覧画面６１には、複数の表示領域６２のそれぞれに出品物に関する情報が表示される。かかる出品物一覧画面６１は、例えば、縦長のページ画面であり、端末装置２のユーザＵは、スクロール操作によって多数の出品物を閲覧することが可能である。
【００６５】
閲覧処理部４２は、提示順位決定部４７によって決定された提示順位に基づいて複数の出品物の情報を複数の表示領域６２に配置した出品物一覧画面６１の情報を生成し、出品物取引処理装置１へ送信する。例えば、提示順位決定部４７は、提示順位が最上位の出品物を位置Ｌ１（図１参照）に配置し、提示順位が次の順位の出品物を位置Ｌ２（図１参照）に配置するといった手順で各出品物の情報を各表示領域６２に設定する。
【００６６】
このように、閲覧処理部４２は、提示順位決定部４７によって決定された提示順位に従った提示位置に出品物の情報が配置された出品物一覧画面６１の情報を生成し、かかる出品物一覧画面６１の情報を端末装置２へ送信する。
【００６７】
出品物一覧画面６１の情報は、提示順位決定部４７によって決定された提示順位で閲覧処理部４２が出品物の情報を配列した出品物一覧画面６１の情報（以下、第１画面情報と記載する）、または、提示順位決定部４７によって決定された提示順位の情報と出品物の情報とを含む情報（以下、第２画面情報と記載する）である。
【００６８】
なお、第１画面情報は、例えば、出品物のアドレス（例えば、ＵＲＬ）と出品物の出品物一覧画面６１上の位置とが関連付けた情報（例えば、ＨＴＭＬデータやＸＭＬデータ）であり、また、第２画面情報は、出品物のアドレスと出品物の提示順位とが関連付けられた情報（例えば、ＨＴＭＬデータやＸＭＬデータ）である。
【００６９】
端末装置２の表示制御部１６は、出品物取引処理装置１から送信される出品物一覧画面６１の情報に基づいて、出品物一覧画面６１を表示部１２に表示する。例えば、端末装置２の表示制御部１６は、第１画面情報に基づいて出品物の情報（例えば、出品物の画像）を取得し、取得した出品物の情報を第１画面情報で設定された位置に配置した出品物一覧画面６１を表示部１２に表示する。また、端末装置２の表示制御部１６は、第２画面情報に基づいて出品物の情報を取得し、取得した出品物の情報を第２画面情報に基づいて提示順位が最上位の出品物から順次配列した出品物一覧画面６１を表示部１２に表示する。
【００７０】
また、閲覧処理部４２は、ユーザＵ毎に提示順位決定部４７によって決定された提示順位に基づいて複数の出品物の情報を複数の表示領域６２に配置した出品物一覧画面６１の情報を生成し、出品物取引処理装置１へ送信することができる。この場合、閲覧処理部４２は、閲覧要求に含まれるユーザＩＤに対応する提示順位に基づいて複数の出品物の情報を複数の表示領域６２に配置した出品物一覧画面６１を生成する。これによって、例えば、ユーザＵが注目している出品物に類似するほど出品物の提示位置が上位になる出品物一覧画面６１を生成することができる。
【００７１】
なお、閲覧処理部４２は、閲覧要求に配列条件を指定する情報が含まれる場合、閲覧要求に含まれる配列条件で提示順位決定部４７によって決定された提示順位で出品物の情報が配置された出品物一覧画面６１の情報を生成する。
【００７２】
例えば、閲覧要求に注目順を指定する情報が含まれる場合、閲覧処理部４２は、提示順位決定部４７によって決定された注目順の提示順位で出品物の情報が配置された出品物一覧画面６１の情報を生成する。また、閲覧要求に配列条件を指定する情報が含まれない場合、閲覧処理部４２は、提示順位決定部４７によって決定された新着順の提示順位で出品物の情報が配置された出品物一覧画面６１の情報を生成する。
【００７３】
また、閲覧処理部４２は、閲覧要求に指定キーワード（または指定カテゴリ）が含まれる場合、提示順位決定部４７によって決定された提示順位に従った提示位置に指定キーワード（または指定カテゴリ）に対応する出品物の情報が配置された出品物一覧画面６１の情報を生成する。
【００７４】
なお、図７では、出品物一覧画面６１において一度に１５個の出品物の情報を表示する例を示しているが、出品物一覧画面６１において一度に表示できる出品物の情報は、１５個未満であってもよく、１６個以上であってもよい。また、出品物一覧画面６１は、出品物の画像のみの表示であってもよく、出品物の説明文のみの表示であってもよい。さらに、出品物一覧画面６１は、出品物の情報が縦方向のみに連続する配列であってもよく、出品物の情報が横方向のみに連続する配列であってもよい。
【００７５】
端末装置２のユーザＵは、出品物一覧画面６１のうち所望の出品物の表示領域を選択（クリック）することで、選択された出品物の出品ＩＤを含む個別閲覧要求が端末装置２から出品物取引処理装置１へ送信される。
【００７６】
閲覧処理部４２は、端末装置２から送信される個別閲覧要求を受け付けると、個別閲覧要求に含まれる出品ＩＤに対応する閲覧履歴の情報を更新する。閲覧履歴の情報には、後述する出品物画面を閲覧したユーザＵのユーザＩＤや閲覧日時、出品物画面を閲覧した回数（閲覧数Ｎｖ）などの情報が含まれる。
【００７７】
また、閲覧処理部４２は、端末装置２から送信される個別閲覧要求を受け付けると、出品物画面の情報を端末装置２へ送信する。図８は、端末装置２に表示された出品物画面６３の一例を示す図である。
【００７８】
図８に示すように、出品物画面６３には、出品物画像表示領域６４と、登録ボタン６５と、コメントボタン６６と、シェアボタン６７と、商品説明領域６８と、取引価格表示領域７０と、購入手続ボタン７１とが含まれる。なお、図示しないが、出品物画面６３には、出品者の情報、関連商品の情報などが含まれており、端末装置２のユーザＵは、出品物画面６３をスクロールすることによって、出品者の情報、関連商品（出品物と関連する他の出品物）の情報などを端末装置２の表示領域に表示することができる。
【００７９】
出品物画像表示領域６４には、出品物の画像が表示され、商品説明領域６８には、出品物の説明文が表示される。出品物の説明文には、出品物に関する情報の他、例えば、配送方法や配送料金の負担などの情報が含まれる。
【００８０】
登録ボタン６５は、例えば、出品物画面６３に画像が表示されている出品物の購入を検討している端末装置２のユーザＵによって選択（クリック）される。ユーザＵが登録ボタン６５を選択した場合、ユーザＩＤおよび出品ＩＤを含む登録要求が端末装置２から出品物取引処理装置１へ送信される。
【００８１】
コメントボタン６６は、出品物画面６３に画像が表示されている出品物に対応する後述のコメント画面を要求するためのボタンである。ユーザＵがコメントボタン６６を選択した場合、端末装置２の処理部１５は、ユーザＩＤおよび出品ＩＤを含むコメント要求を出品物取引処理装置１へ送信する。
【００８２】
シェアボタン６７は、例えば、出品物画面６３に画像が表示されている出品物をソーシャルネットワークやメールなどによって他者とシェアするためのボタンである。ユーザＵがシェアボタン６７を選択した場合、処理部１５は、出品物画面６３の情報（例えば、ＵＲＬなど）をソーシャルネットワークやメールを介して送信する。また、処理部１５は、シェアボタン６７が操作されたことを示す情報を出品物画面６３の出品物に対応する出品ＩＤやユーザＩＤと共に送信する。
【００８３】
取引価格表示領域７０には、出品物についての現在の取引価格Ｐの情報が表示される。例えば、出品情報テーブルが図６に示す状態であり、出品ＩＤ「Ｃ１」の出品物の場合、現在価格「￥５５０」が取引価格Ｐとして表示される。
【００８４】
購入手続ボタン７１は、出品物画面６３に画像が表示されている出品物を購入するためのボタンである。端末装置２のユーザＵは、出品物画面６３に画像が表示されている出品物の購入を決定した場合、購入手続ボタン７１を選択（クリック）する。購入手続ボタン７１が選択された場合、端末装置２の処理部１５は、ユーザＩＤおよび出品ＩＤを含む購入要求を端末装置２へ送信する。
【００８５】
〔２．３．３．登録処理部４３〕
登録処理部４３（図４参照）は、端末装置２から送信される登録要求を受け付け、かかる登録要求に含まれる出品ＩＤに対応する出品情報テーブルの「登録履歴」を更新する。例えば、出品情報テーブルが図６に示す状態で、出品ＩＤ「Ｃ１」の出品物に対する登録要求がある場合、登録処理部４３は、出品情報テーブルにおいて、登録要求に含まれるユーザＩＤや登録要求の日時などを更新し、また、登録要求の回数（登録数Ｎｅ）を更新する。
【００８６】
また、登録処理部４３は、端末装置２から送信される登録要求を受け付けると、ユーザＩＤと出品ＩＤとを関連付けて登録結果としてユーザ情報記憶部３１に記憶する。端末装置２のユーザＵは、端末装置２を操作してユーザＩＤを含む登録一覧要求を出品物取引処理装置１へ送信することができる。
【００８７】
登録処理部４３は、端末装置２から送信される登録一覧要求を受け付けると、登録一覧要求に含まれるユーザＩＤに基づいて、かかるユーザＩＤに関連付けられた出品ＩＤをユーザ情報記憶部３１の登録結果から取得する。
【００８８】
そして、登録処理部４３は、登録結果に含まれる出品ＩＤに対応する出品情報を出品情報記憶部３２から取得し、取得した出品情報を含む登録出品物一覧の情報を端末装置２へ送信する。これにより、端末装置２のユーザＵは、登録した出品物の情報を容易に知ることができ、例えば、登録ボタン６５をお気に入り登録のために用いることができる。なお、登録出品物一覧はウォッチリストとも呼ばれる。
【００８９】
なお、登録処理部４３は、提示順位決定部４７によって決定された提示順位が上位であるほど登録出品物一覧の上位の提示位置になるように、登録出品物一覧を生成することもできる。
【００９０】
また、登録処理部４３は、端末装置２から送信されるコメント要求を受け付けると、コメント要求に含まれる出品ＩＤに対応する出品物に関するコメントの情報を出品情報テーブルから取得し、取得したコメントを含むコメント画面の情報を端末装置２へ送信する。
【００９１】
端末装置２の表示制御部１６は、コメント画面の情報を取得すると、かかるコメント画面の情報に基づいて、コメント画面（図示せず）を表示する。かかるコメント画面には、コメント要求に含まれる出品ＩＤに対応する出品物に関して出品者や出品者以外のユーザＵが入力して登録したコメントが表示される。
【００９２】
端末装置２のユーザＵは、かかるコメント画面へコメントを入力することができ、このように入力されたコメントは、処理部１５によって出品ＩＤと共に出品物取引処理装置１へ送信される。登録処理部４３は、端末装置２から送信されたコメントやコメントの日時を出品ＩＤに関連付けて出品情報テーブルの「コメント履歴」に設定し、また、「コメント履歴」のコメント数Ｎｃを更新して、出品情報テーブルを更新する。
【００９３】
また、登録処理部４３は、出品物毎にシェアボタン６７の操作履歴を出品情報テーブルのシェア履歴（図示せず）に設定することができる。出品物毎のシェア履歴には、例えば、シェアボタン６７が操作された日時やシェアボタン６７を操作したユーザＵのユーザＩＤ、および、シェアボタン６７が操作された回数（以下、シェア回数Ｎｓと記載する）などが含まれる。
【００９４】
〔２．３．４．購入処理部４４〕
購入処理部４４（図４参照）は、端末装置２から送信される購入要求を受け付ける。購入処理部４４は、端末装置２から送信される購入要求を受け付けると、かかる購入要求に対応する出品物の購入処理を行う。かかる購入処理は、購入要求時の取引価格Ｐで行われる。
【００９５】
例えば、出品情報テーブルが図６に示す状態であり、出品ＩＤ「Ｃ１」の出品物に対して購入要求がある場合、購入処理部４４は、現在価格「￥５５０」を取引価格Ｐとして購入処理を行う。かかる購入処理は、例えば、クレジットカードによる決済や電子マネーによる決済によって行われる。購入処理部４４は、購入処理を行った出品物の出品処理を終了し、かかる出品物を出品物一覧画面６１への表示対象から除外する。
【００９６】
〔２．３．５．取引価格変更部４５〕
取引価格変更部４５（図４参照）は、出品情報記憶部３２に記憶された出品情報テーブルに基づき、各出品物について取引価格Ｐを開始価格Ｐｓｔａｒｔに設定した後、出品物が購入されない場合には、取引価格Ｐを段階的に下げる処理を行う。取引価格Ｐを段階的に下げる処理は、出品情報テーブルに設定された情報に基づいて行われる。
【００９７】
取引価格変更部４５は、出品情報テーブルにおいて価格変更設定が「あり」に設定されている出品物の取引価格Ｐを段階的に下げる処理を動的に変更し、価格変更設定が「なし」に設定されている出品物の取引価格Ｐを段階的に下げる処理を行わない。
【００９８】
図９は、取引価格Ｐの変化の一例を示す図である。図９に示す例では、所定時間間隔毎の各時刻ｔ１、ｔ２、ｔ３、ｔ４、ｔ５において、所定の下げ幅ΔＰで取引価格Ｐが段階的に下がっていき、時刻ｔ５において、取引価格Ｐが最低価格Ｐｍｉｎになっている。このように、出品物が購入されない場合には、取引価格Ｐを段階的に下げる処理を行う。そのため、例えば、出品者による取引価格Ｐの設定が購入検討者の希望価格と乖離しているような場合であっても、出品物が購入されない可能性を低減することができる。
【００９９】
なお、取引価格変更部４５は、取引価格Ｐを下げる処理を行うタイミング（以下、価格変更タイミングと記載する）を等間隔にするのではなく、価格変更タイミングを不等間隔に設定することもできる。例えば、取引価格変更部４５は、価格変更タイミングの間隔を徐々に小さくしていくことができ、これにより、取引価格Ｐを二次曲線的に下げることができる。これにより、例えば、希望期間（例えば、１日）に近づいてきた場合に取引価格Ｐを急激に下げることができ、出品物が購入される可能性を高めることができる。
【０１００】
また、取引価格変更部４５は、出品物が購入されやすいような時間帯や曜日の価格変更タイミングの間隔を短くすることもできる。例えば、取引価格変更部４５は、出品物取引処理サービスの利用が多い時間帯や曜日における価格変更タイミングの間隔を短くし、出品物取引処理サービスの利用が少ない時間帯や曜日における価格変更タイミングの間隔を長くすることができる。
【０１０１】
また、出品物に対する後述の注目度Ｄａ、出品物情報（出品物の説明や画像）の情報量、時間帯、出品物と同一または類似の取引対象の取引価格Ｐなどに基づいて、出品物の取引価格Ｐを段階的に下げていく態様を変更することもできる。
【０１０２】
なお、取引価格変更部４５は、最低価格Ｐｍｉｎの設定がされていない場合や出品物の出品後に最低価格Ｐｍｉｎの設定が出品者によって出品情報テーブルから解除（削除）された場合、最低価格Ｐｍｉｎとは無関係に取引価格Ｐを固定値まで段階的に下げていくことができる。これにより、出品物が購入されない状態が継続する場合に、取引価格Ｐを最低価格Ｐｍｉｎよりも下げることができる。
【０１０３】
また、取引価格変更部４５は、提示順位決定部４７によって提示順位が優先して上位になっている出品物の取引価格Ｐを下げる処理を停止または下げ幅ΔＰを小さくすることができる。取引価格Ｐの低下や低下度合いを抑えることができ、出品者の利益が低下してしまうことを抑制することができる。
【０１０４】
〔２．３．６．注目度判定部４６〕
注目度判定部４６（図４参照）は、例えば、出品情報テーブルに含まれる登録履歴、コメント履歴、閲覧履歴、シェア履歴に基づき、出品物の注目度Ｄａを判定する。注目度判定部４６は、判定した各出品物の注目度Ｄａを出品情報テーブルに記憶する。例えば、注目度判定部４６は、出品物に対する登録数Ｎｅ、コメント数Ｎｃ、閲覧数Ｎｖおよびシェア回数Ｎｓに基づき、出品物の注目度Ｄａを判定することができる。
【０１０５】
注目度判定部４６は、例えば、出品物に対する登録数Ｎｅ、コメント数Ｎｃ、閲覧数Ｎｖおよびシェア回数Ｎｓにそれぞれ重み付けを行って加算した値を出品物に対する注目度Ｄａとして判定することができる。例えば、注目度判定部４６は、下記式（１）に基づいて、出品物に対する注目度Ｄａを演算することができる。なお、Ｋ１〜Ｋ４は、重み付けのための係数である。
Ｄａ＝Ｋ１×Ｎｅ＋Ｋ２×Ｎｃ＋Ｋ３×Ｎｖ＋Ｋ４×Ｎｓ      ・・・（１）
【０１０６】
注目度判定部４６は、判定した各出品物に対する注目度Ｄａを出品情報テーブルに設定する。図６に示す出品情報テーブルでは、例えば、出品ＩＤ「Ｃ１」の出品物に対する注目度として「５．６４」が設定されており、出品ＩＤ「Ｃ２」の出品物に対する注目度として「０．３５」が設定されている。ここでは、注目度Ｄａを０〜１０の範囲としているが、注目度Ｄａはかかる範囲に限定されない。
【０１０７】
また、注目度判定部４６は、出品情報テーブルに設定されたコメント数をコメント数Ｎｃとすることができ、また、出品情報テーブルに設定されたコメント数のうち、出品者のコメントを除いた数をコメント数とすることもできる。
【０１０８】
注目度判定部４６は、直近の所定期間（例えば、１時間）の登録数Ｎｅ、コメント数Ｎｃ、閲覧数Ｎｖおよびシェア回数Ｎｓに基づいて、上記式（１）を用いて注目度Ｄａを所定期間（例えば、１０分間）毎に演算することができる。
【０１０９】
また、注目度判定部４６は、取引価格Ｐの変動が無い状態での単位期間当たりの登録数Ｎｅ、コメント数Ｎｃ、閲覧数Ｎｖおよびシェア回数Ｎｓに基づいて、上記式（１）を用いて注目度Ｄａを演算することができる。単位期間は、例えば、１０分や１時間などの期間である。
【０１１０】
また、取引価格Ｐを変更したタイミングから発生した登録数Ｎｅ、コメント数Ｎｃ、閲覧数Ｎｖおよびシェア回数Ｎｓに基づいて、上記式（１）を用いて注目度Ｄａを所定期間毎に演算することができる。すなわち、注目度判定部４６は、ある取引価格Ｐに対する登録数Ｎｅ、コメント数Ｎｃ、閲覧数Ｎｖおよびシェア回数Ｎｓに基づいて、注目度Ｄａを演算することができる。
【０１１１】
なお、注目度判定部４６は、登録数Ｎｅ、コメント数Ｎｃ、閲覧数Ｎｖおよびシェア回数Ｎｓのうち１以上の情報に基づいて出品物に対する注目度Ｄａを演算することもできる。例えば、注目度判定部４６は、登録数Ｎｅおよび閲覧数Ｎｖにそれぞれ重み付けを行って加算した値を出品物に対する注目度Ｄａとして判定することができる。
【０１１２】
また、注目度判定部４６は、上述した情報に加えまたは代えて、出品者以外のユーザＵの出品物に対する評価を示す評価ランク（例えば、Ａランク〜Ｅランクまでの５段階のランク）を取得し、かかる評価ランクの平均値や合計値に基づいて、出品物の注目度Ｄａを判定することができる。
【０１１３】
また、注目度判定部４６は、ユーザＵ全体の出品物の注目度Ｄａの他、記憶部２１に記憶された出品物の情報やユーザＵの情報に基づいて、ユーザＵ毎の出品物の注目度Ｄｐを判定することもできる。この場合、注目度判定部４６は、ユーザＵ毎に判定した各出品物の注目度Ｄｐを各ユーザＩＤに対応づけて出品情報テーブルに記憶する。
【０１１４】
注目度判定部４６は、ユーザＵ毎にユーザＵが注目している出品物（以下、注目出品物と記載する）ほど注目度Ｄｐを高くすることができる。例えば、注目度判定部４６は、ユーザＵが登録ボタン６５により登録した出品物（以下、登録出品物と記載する）ほど高くし、ユーザＵが閲覧した出品物（以下、閲覧出品物と記載する）ほど注目度Ｄｐを高くする。なお、登録出品物および閲覧出品物は、注目出品物の一例である。
【０１１５】
例えば、注目度判定部４６は、下記式（２）の演算によって、ユーザＵ毎の出品物の注目度Ｄｐを判定することもできる。なお、下記式（２）において、「ＫＡ」は、出品物が登録出品物である場合には「１」であり、出品物が登録出品物ではない場合には「０」である。また、「Ｎｐｖ」は、ユーザＵによって閲覧された回数であり、ユーザＵ毎の回数である。なお、下記式（２）において、Ｄｐ１、Ｄｐ２は予め設定された値である。Ｄｐ１およびＤｐ２の一方は０であってもよい。
Ｄｐ＝Ｄｐ１×ＫＡ＋Ｎｐｖ×Ｄｐ２      ・・・（２）
【０１１６】
例えば、出品物Ａが、ユーザＵ１によって登録されており、閲覧された回数が３回である場合、ユーザＵ１における出品物Ａの注目度Ｄｐは、Ｄｐ＝Ｄｐ１＋３×Ｄｐ２である。なお、注目度Ｄｐの演算は、上記式（２）に限定されず、適宜変更可能である。
【０１１７】
さらに、注目度判定部４６は、注目出品物のみならず、注目出品物と類似している出品物に基づいて、ユーザＵ毎の出品物の注目度Ｄｐを判定することもできる。例えば、注目度判定部４６は、注目度判定部４６は、注目出品物に類似するほど注目度Ｄｐを高くすることができる。
【０１１８】
注目度判定部４６は、各出品物の商品区分を出品物情報テーブルに設定された情報（出品物の商品名、商品の説明文、商品の画像）に基づいて判定する。注目度判定部４６は、判定した商品区分と、記憶部２１に記憶している類似度判定テーブル（図示せず）とに基づいて各出品物について注目出品物との類似度を判定する。
【０１１９】
なお、類似度判定テーブルには、商品区分間の類似度が設定されており、注目度判定部４６は、注目出品物の商品区分と注目度判定対象の出品物の商品区分とから注目度判定対象の出品物の類似度を判定することができる。なお、商品区分は、例えば、商品型式、商品名、商品カテゴリなどである。また、注目度判定対象の出品物が注目出品物である場合、注目出品物に対する類似度は１００％である。
【０１２０】
注目度判定部４６は、ユーザＵ毎に、各出品物の注目出品物に対する類似度に基づいて、各出品物の注目度Ｄｐとすることができる。例えば、注目度判定部４６は、ユーザＵ１の注目出品物Ａ、Ｂが２つあり、それぞれの注目出品物Ａ、Ｂの注目度ＤｐがＤｐＡ、ＤｐＢであるとする。また、出品物Ｃの注目出品物Ａ、Ｂに対する類似度がそれぞれＸ％、Ｙ％とする。この場合、注目度判定部４６は、出品物Ｃの注目度ＤｐＣを下記式（３）の演算によって求めることができる。
ＤｐＣ＝（Ｘ×ＤｐＡ＋Ｙ×ＤｐＢ）／２      ・・・（３）
【０１２１】
このように、注目度判定部４６は、各注目出品物の注目度に各出品物の類似度を乗算し、かかる乗算結果の平均値を各出品物の注目度Ｄｐとすることができる。なお、ユーザＵ毎に、注目出品物に対する類似度が高いほど出品物の注目度Ｄｐを演算することができればよく、上述した各出品物の注目度Ｄｐの演算方法に限定されない。
【０１２２】
注目度判定部４６は、ユーザＵ（例えば、ユーザＵ２）が注目して購入に至った出品物（以下、購入済注目出品物と記載する）は、ユーザＵ（例えば、ユーザＵ２）が注目した出品物である注目出品物から除外する。これにより、ユーザＵ（例えば、ユーザＵ２）が注目して購入に至っていない出品物（以下、未購入注目出品物と記載する）との類似度が高い出品物ほど注目度Ｄｐを高くすることができる。そのため、ユーザＵがすでに購入して注目しなくなったような出品物と同一または類似の出品物の注目度Ｄｐが高くなることを防止することができる。
【０１２３】
また、注目度判定部４６は、購入済注目出品物を注目出品物から除外せずに、未購入注目出品物に対して購入済注目出品物の注目度Ｄｐを下げるようにしてもよい。例えば、注目度判定部４６は、購入済注目出品物が消耗品などのように定期的に購入されるような特定の出品物の場合には、購入されたタイミングで注目度Ｄｐを大幅に下げ、その後、時間の経過にしたがって、注目度Ｄｐを上げていくようにすることもできる。
【０１２４】
〔２．３．７．提示順位決定部４７〕
提示順位決定部４７（図４参照）は、出品物の提示順位を決定するための配列条件毎に、出品物の提示順位を決定することができる。配列条件として、上述した新着順、注目順、注目調整順、新着調整順の条件などがある。以下、それぞれの配列条件について説明する。
【０１２５】
〔２．３．７．１．新着順〕
まず、配列条件が新着順である場合について説明する。提示順位決定部４７は、出品情報テーブルに出品情報が追加される毎に、出品情報テーブルに設定された出品開始日時が新しいものから順に提示順位を決定する。すなわち、提示順位決定部４７は、出品開始日時が新しい出品物ほど提示順位が上位（小さい番号）になるように出品物の提示順位を決定する。
【０１２６】
これにより、閲覧処理部４２は、出品開始日時が新しい出品物ほど提示位置が上位になる新着順の出品物一覧画面６１の情報を生成し、端末装置２へ送信することができ、端末装置２の表示制御部１６は、新着順の出品物一覧画面６１を表示することができる。なお、提示順位決定部４７は、出品開始日時が古い出品物から順に提示順位を決定することもでき、これにより、閲覧処理部４２は、出品開始日時が古い出品物から提示位置が上位になる旧着順の出品物一覧画面６１の情報を生成し、端末装置２へ送信することができる。
【０１２７】
〔２．３．７．２．注目順〕
次に、配列条件が注目順である場合について説明する。提示順位決定部４７は、出品情報テーブルの注目度Ｄａが更新される毎に、出品情報テーブルに設定された注目度Ｄａが高いものから順に提示順位を決定する。すなわち、提示順位決定部４７は、注目度Ｄａが高い出品物ほど提示順位が上位になるように出品物の提示順位を決定する。
【０１２８】
これにより、閲覧処理部４２は、注目度Ｄａが高い出品物ほど提示位置が上位になる注目順の出品物一覧画面６１の情報を生成し、端末装置２へ送信することができ、端末装置２の表示制御部１６は、注目順の出品物一覧画面６１を表示することができる。なお、提示順位決定部４７は、注目度Ｄａが低いものから順に出品物の提示順位を決定することもでき、これにより、閲覧処理部４２は、注目度Ｄａが低い出品物ほど提示位置が上位になる注目順の出品物一覧画面６１の情報を生成し、端末装置２へ送信することができる。
【０１２９】
また、提示順位決定部４７は、注目度Ｄａに基づいて各出品物の注目順の提示順位を決定したが、ユーザＵ毎に注目度Ｄｐに基づいて各出品物の注目順の提示順位を決定することもできる。この場合、提示順位決定部４７は、出品情報テーブルの注目度Ｄｐが更新される毎に、ユーザＵ毎に、注目度Ｄｐが高い出品物ほど提示順位が上位になるように出品物の提示順位を決定する。すなわち、提示順位決定部４７は、ユーザＵ毎に、注目度Ｄｐが高い出品物ほど提示順位が上位になるように出品物の提示順位を決定することができる。
【０１３０】
これにより、閲覧処理部４２は、閲覧要求元のユーザＵ毎に、注目度Ｄｐが高い出品物ほど提示位置が上位になる注目順の出品物一覧画面６１の情報を生成し、端末装置２へ送信することができ、端末装置２の表示制御部１６は、各ユーザＵに対応した注目順の出品物一覧画面６１を表示することができる。なお、提示順位決定部４７は、注目度Ｄｐが低いものから順に出品物の提示順位を決定することもできる。
【０１３１】
〔２．３．７．３．注目調整順〕
次に、配列条件が注目調整順である場合について説明する。提示順位決定部４７は、出品情報テーブルの注目度Ｄａが更新される毎に、出品情報テーブルに設定された注目度Ｄａが高いものから順に提示順位を仮決定する。すなわち、提示順位決定部４７は、注目度Ｄａが高い出品物ほど提示順位が上位になるように出品物の提示順位を仮決定する。
【０１３２】
そして、提示順位決定部４７は、仮決定された提示順位を出品物の取引価格Ｐの下り幅ΔＰに基づいて調整して、出品物の提示順位を本決定する。すなわち、提示順位決定部４７は、下り幅ΔＰの大きさに応じた繰り上げ数分だけ仮決定された提示順位よりも高くなるように提示順位を本決定する。
【０１３３】
例えば、提示順位決定部４７は、下記式（４）の演算によって、繰り上げ数Ｎａを求める。下記式（４）において、「ＩＮＴ」は整数化関数であり、Ｋ５は、重み付けのための係数である。
Ｎａ＝ＩＮＴ（Ｋ５×ΔＰ）      ・・・（４）
【０１３４】
そして、提示順位決定部４７は、下記式（５）の演算によって、出品物の提示順位を本決定する。なお、下記式（５）において、「Ｎｐ」は仮決定された提示順位であり、「Ｎｃ」は本決定された提示順位である。
Ｎｃ＝Ｎｐ＋Ｎａ      ・・・（５）
【０１３５】
これにより、閲覧処理部４２は、注目順の提示順位を取引価格Ｐの下り幅ΔＰに応じて上位に繰り上げた出品物一覧画面６１の情報を生成し、端末装置２へ送信することができ、端末装置２の表示制御部１６は、注目調整順の出品物一覧画面６１を表示することができる。そのため、出品物の下り幅ΔＰが高い場合、出品物の提示順位を注目度Ｄａのみによる提示順位に比べて、上位に繰り上げることができ、取引価格Ｐが段階的に下がるように設定された出品物が購入される可能性を増加させることができる。
【０１３６】
なお、提示順位決定部４７は、下り幅ΔＰが所定以上の出品物に対して上位の提示順位（以下、専用提示順位と記載する）を確保し、かかる専用提示順位に下り幅ΔＰが所定以上の出品物を下り幅ΔＰが大きいほど上位になるように割り当てることもできる。また、提示順位決定部４７は、下り幅ΔＰが所定以上の出品物を下り幅ΔＰが大きいほど専用提示順位に割り当てる確率が高くなるように、下り幅ΔＰが所定以上の出品物に対する提示順位の割り当てを行うこともできる。
【０１３７】
また、提示順位決定部４７は、出品情報テーブルに設定された注目度Ｄａと下り幅ΔＰとに基づいて算出したスコアＳａ（以下、注目調整スコアＳａと記載する）の大きい順に出品物の提示順位を決定することができる。例えば、下記式（６）の演算によって注目調整スコアＳａを求めることができる。なお、Ｋ６は、重み付けのための係数である。
Ｓａ＝Ｋ４×Ｄａ＋Ｋ６×ΔＰ      ・・・（６）
【０１３８】
提示順位決定部４７は、注目調整スコアＳａが高いものから順に提示順位を決定する。すなわち、提示順位決定部４７は、注目調整スコアＳａが高い出品物ほど提示順位が上位になるように出品物の提示順位を決定する。これにより、閲覧処理部４２は、注目調整スコアＳａに応じた提示順位に対応する提示位置で出品物を配列した出品物一覧画面の情報を生成し、端末装置２へ送信することができる。
【０１３９】
また、上記式（４）、（６）で用いられる下り幅ΔＰは、１回の変動前後の取引価格Ｐの変動差であり、例えば、ΔＰ＝Ｐｄ１−Ｐｄ２（図９参照）である。また、下り幅ΔＰは、所定期間における取引価格Ｐの変動差であってもよく、例えば、ΔＰ＝Ｐｄ１−Ｐｄ３（図９参照）やΔＰ＝Ｐｄ１−Ｐｄ４（図９参照）である。また、下り幅ΔＰは、開始価格Ｐｓｔａｒｔからの取引価格Ｐの変動差であってもよく、例えば、ΔＰ＝Ｐｓｔａｒｔ−Ｐｄ３（図９参照）やΔＰ＝Ｐｓｔａｒｔ−Ｐｄ４（図９参照）である。
【０１４０】
また、上述した例では、提示順位決定部４７は、注目度Ｄａが高いほど提示順位が上位になるようにする例を説明したが、注目度Ｄａが低いものから順に出品物の提示順位を決定することもできる。この場合、提示順位決定部４７は、式（４）において「Ｋ４×Ｄａ」を「Ｋ４／Ｄａ」に置き換えて注目調整スコアＳａを演算する。
【０１４１】
また、提示順位決定部４７は、注目度Ｄａに基づいて各出品物の注目調整順の提示順位を決定したが、ユーザＵ毎に注目度Ｄｐに基づいて各出品物の注目調整順の提示順位を決定することもできる。この場合、提示順位決定部４７は、ユーザＵ毎に、「注目度Ｄａ」を「注目度Ｄｐ」に置き換えて、上述した処理を行うことで、ユーザＵ毎に各出品物の注目調整順の提示順位を決定することもできる。
【０１４２】
例えば、提示順位決定部４７は、出品情報テーブルの注目度Ｄｐが更新される毎に、ユーザＵ毎に、出品情報テーブルに設定された注目度Ｄｐが高いものから順に提示順位を仮決定する。すなわち、提示順位決定部４７は、ユーザＵ毎に、注目度Ｄｐが高い出品物ほど提示順位が上位になるように出品物の提示順位を仮決定する。
【０１４３】
そして、提示順位決定部４７は、ユーザＵ毎に、仮決定された提示順位を出品物の取引価格Ｐの下り幅ΔＰに基づいて調整して、出品物の提示順位を本決定する。すなわち、提示順位決定部４７は、ユーザＵ毎に、下り幅ΔＰの大きさに応じた繰り上げ数分だけ仮決定された提示順位よりも高くなるように提示順位を本決定する。これにより、ユーザＵ毎に注目度Ｄｐに基づいて各出品物の注目調整順の提示順位を決定することもできる。
【０１４４】
〔２．３．７．４．新着調整順〕
次に、配列条件が新着調整順である場合について説明する。提示順位決定部４７は、出品情報テーブルに出品情報が追加される毎に、出品情報テーブルに設定された出品開始日時が新しいものから順に提示順位を仮決定する。すなわち、提示順位決定部４７は、出品開始日時が新しい出品物ほど提示順位が上位になるように出品物の提示順位を仮決定する。
【０１４５】
そして、提示順位決定部４７は、仮決定された提示順位を注目度Ｄａに基づいて調整して、出品物の提示順位を本決定する。すなわち、提示順位決定部４７は、注目度Ｄａに応じた繰り上げ数分だけ仮決定された提示順位よりも高くなるように提示順位を本決定する。
【０１４６】
例えば、提示順位決定部４７は、下記式（７）の演算によって、繰り上げ数Ｎａを求める。下記式（７）において、「ＩＮＴ」は整数化関数であり、Ｋ７は、重み付けのための係数である。
Ｎａ＝ＩＮＴ（Ｋ７×Ｄａ）      ・・・（７）
【０１４７】
そして、提示順位決定部４７は、上記式（５）の演算によって、出品物の提示順位を本決定する。これにより、閲覧処理部４２は、新着順の提示順位を注目度Ｄａに応じて上位に繰り上げた出品物一覧画面６１の情報を生成し、端末装置２へ送信することができ、端末装置２の表示制御部１６は、新着調整順の出品物一覧画面６１を表示することができる。
【０１４８】
そのため、注目度Ｄａが高い場合、出品物の提示順位を出品開始日時の新しさのみによる提示順位に比べて、上位に繰り上げることができ、取引価格Ｐが段階的に下がるように設定された出品物が購入される可能性を増加させることができる。
【０１４９】
また、提示順位決定部４７は、出品情報テーブルに設定された出品開始日時と注目度Ｄａとに基づいて算出したスコアＳｎ（以下、新着調整スコアＳｎと記載する）の大きい順に出品物の提示順位を決定することができる。例えば、下記式（８）の演算によって新着調整スコアＳｎを求めることができる。なお、下記式（８）において、「Ｔｏ」は出品開始日時からの経過時間であり、Ｋ８、Ｋ９は、重み付けのための係数である。
Ｓｎ＝Ｋ８／Ｔｏ＋Ｋ９×Ｄａ      ・・・（８）
【０１５０】
提示順位決定部４７は、新着調整スコアＳｎが高いものから順に提示順位を決定する。すなわち、提示順位決定部４７は、新着調整スコアＳｎが高い出品物ほど提示順位が上位になるように出品物の提示順位を決定する。これにより、閲覧処理部４２は、新着調整スコアＳｎに応じた提示順位に対応する提示位置で出品物を配列した出品物一覧画面の情報を生成し、端末装置２へ送信することができる。
【０１５１】
また、上述した例では、提示順位決定部４７は、出品開始日時が新しいほど提示順位が上位になるようにする例を説明したが、出品開始日時が古いものから順に出品物の提示順位を決定することもできる。この場合、提示順位決定部４７は、例えば、上記（５）において「ＩＮＴ（Ｋ７×Ｄａ）」を「ＩＮＴ（Ｋ７／Ｄａ）」に置き換えて繰り上げ数Ｎａの演算を行い、上記式（６）において「Ｋ８／Ｔｏ」を「Ｋ８×Ｔｏ」に置き換えて新着調整スコアＳｎを演算する。
【０１５２】
また、提示順位決定部４７は、注目度Ｄａに基づいて各出品物の新着調整順の提示順位を決定したが、ユーザＵ毎に注目度Ｄｐに基づいて各出品物の新着調整順の提示順位を決定することもできる。この場合、提示順位決定部４７は、ユーザＵ毎に、「注目度Ｄａ」を「注目度Ｄｐ」に置き換えて、上述した処理を行うことで、ユーザＵ毎に各出品物の新着調整順の提示順位を決定することができる。
【０１５３】
例えば、提示順位決定部４７は、新着順で仮決定された提示順位を注目度Ｄａに基づいて調整して、出品物の提示順位を本決定する。すなわち、提示順位決定部４７は、注目度Ｄｐに応じた繰り上げ数分だけ仮決定された提示順位よりも高くなるように提示順位を本決定する。これにより、ユーザＵ毎に注目度Ｄｐに基づいて各出品物の新着調整順の提示順位を決定することもできる。
【０１５４】
〔２．３．７．５．その他の配列条件〕
配列条件は、上述した新着順、注目順、注目調整順、新着調整順の条件に限られない。提示順位決定部４７は、注目調整順や新着調整順の場合と同様の処理によって、価格調整順や評価調整順の提示順位を決定することができる。
【０１５５】
例えば、提示順位決定部４７は、出品物の取引価格Ｐが高い順や低い順に出品物の提示順位を仮決定し、仮決定した提示順位を出品物の注目度Ｄａ（または、注目度Ｄｐ）に基づいて調整して出品物の提示順位を本決定することができる。また、提示順位決定部４７は、出品物の取引価格Ｐが高い順や低い順に出品物の提示順位を仮決定し、仮決定した提示順位を出品物の下り幅ΔＰに基づいて調整して出品物の提示順位を本決定することができる。
【０１５６】
これにより、閲覧処理部４２は、価格順の提示順位を注目度Ｄａ（または、注目度Ｄｐ）や下り幅ΔＰに応じて上位に繰り上げた出品物一覧画面６１の情報を生成し、端末装置２へ送信することができ、端末装置２の表示制御部１６は、価格調整順の出品物一覧画面６１を表示することができる。そのため、例えば、同一価格の出品物が複数ある場合であっても、注目度Ｄａ（または、注目度Ｄｐ）や下り幅ΔＰに基づいて上位に繰り上げることができ、取引価格の過度な低下を抑制しつつ出品物が購入される可能性を向上させることができる。
【０１５７】
また、提示順位決定部４７は、出品物や出品者の評価ランクの平均値や合計値の高い順や低い順に出品物の提示順位を仮決定し、仮決定した提示順位を出品物の注目度Ｄａ（または、注目度Ｄｐ）に基づいて調整して出品物の提示順位を本決定することができる。また、提示順位決定部４７は、出品物や出品者に対する評価ランクの平均値や合計値の高い順や低い順に出品物の提示順位を仮決定し、仮決定した提示順位を出品物の下り幅ΔＰに基づいて調整して出品物の提示順位を本決定することができる。
【０１５８】
これにより、閲覧処理部４２は、出品物や出品者に対する評価順の提示順位を注目度Ｄａ（または、注目度Ｄｐ）や下り幅ΔＰに応じて上位に繰り上げた出品物一覧画面６１の情報を生成し、端末装置２へ送信することができ、端末装置２の表示制御部１６は、評価調整順の出品物一覧画面６１を表示することができる。そのため、例えば、同一評価ランク（平均値や合計値）の出品物であっても、注目度Ｄａ（または、注目度Ｄｐ）や下り幅ΔＰに基づいて上位に繰り上げることができ、取引価格Ｐの過度な低下を抑制しつつ出品物が購入される可能性を向上させることができる。
【０１５９】
なお、上述した例では、新着調整順や注目調整順の場合と同様に、価格順や評価順の提示順位を注目度Ｄａ（または、注目度Ｄｐ）や下り幅ΔＰに応じて上位に繰り上げた提示順位を決定する例を説明したが、価格順や評価順と注目度Ｄａ（または、注目度Ｄｐ）や下り幅ΔＰとを重みづけして加算したスコアによって提示順位を決定することもできる。
【０１６０】
〔３．出品物取引処理装置１の処理フロー〕
まず、図１０を用いて、出品物取引処理装置１における情報処理の手順の一例について説明する。図１０は、出品物取引処理装置１における情報処理の流れの一例を示すフローチャートである。
【０１６１】
図１０に示すように、制御部２２は、端末装置２から出品物の出品に関する要求（例えば、出品要求、追加設定要求、設定解除要求など）を受け付けたか否かを判定する（ステップＳ１０）。出品物の出品に関する要求を受け付けたと判定した場合（ステップＳ１０；Ｙｅｓ）、制御部２２は、出品物の出品に関する処理を行う（ステップＳ１１）。
【０１６２】
出品物の出品に関する要求を受け付けていないと判定した場合（ステップＳ１０；Ｎｏ）、または、ステップＳ１１の処理が終了した場合、制御部２２は、出品情報テーブルに設定されている情報に基づいて、注目度Ｄａの判定を行う（ステップＳ１２）。制御部２２は、例えば、出品情報テーブルに含まれる登録数Ｎｅ、コメント数Ｎｃ、閲覧数Ｎｖ、シェア回数Ｎｓなどに基づき、出品物の注目度Ｄａを判定する。
【０１６３】
また、制御部２２は、配列条件毎に、出品物の提示順位を決定する（ステップＳ１３）。例えば、制御部２２は、新着順、注目順、注目調整順、新着調整順のそれぞれの条件毎に、出品物の提示順位を決定することができる。
【０１６４】
ステップＳ１３の処理が終了した場合、制御部２２は、端末装置２から一覧要求があるか否かを判定する（ステップＳ１４）。一覧要求があると判定した場合（ステップＳ１４；Ｙｅｓ）、制御部２２は、一覧要求に対応する出品物一覧画面６１の情報を生成する（ステップＳ１５）。かかる処理は、図１１に示すステップＳ２０〜Ｓ２２の処理であり、後で詳述する。出品物一覧画面６１の情報を生成した後、制御部２２は、生成した出品物一覧画面６１の情報を要求元の端末装置２へ送信する（ステップＳ１６）。
【０１６５】
一覧要求がないと判定した場合（ステップＳ１４；Ｎｏ）、または、ステップＳ１６の処理が終了した場合、制御部２２は、価格変更のタイミングであるか否かを判定する（ステップＳ１７）。制御部２２は、例えば、取引価格Ｐの下げ間隔ΔＴが到来した場合に、価格変更のタイミングであると判定する。かかるステップＳ１７の処理は、取引価格変更部４５によって実行される。
【０１６６】
価格変更のタイミングであると判定した場合（ステップＳ１７；Ｙｅｓ）、制御部２２は、価格変更処理を行う（ステップＳ１８）。かかる価格変更処理は、上述した取引価格変更部４５によって実行される処理であり、例えば、取引価格Ｐの変更を行うか否かの判定処理、取引価格Ｐの下げ幅ΔＰの判定処理、および、取引価格Ｐの更新処理などが行われる。
【０１６７】
価格変更のタイミングではないと判定した場合（ステップＳ１７；Ｎｏ）、または、ステップＳ１８の処理が終了した場合、制御部２２は、その他の処理を行う（ステップＳ１９）。例えば、制御部２２は、ステップＳ１９において、閲覧処理部４２による上述した他の処理や登録処理部４３や購入処理部４４による処理を実行することができる。
【０１６８】
図１１は、図１０に示すステップＳ１５の処理の一例を示す図である。図１１に示すように、制御部２２は、端末装置２から送信される一覧要求に配列条件を指定する情報が含まれないか否かを判定する（ステップＳ２０）。
【０１６９】
一覧要求に配信条件を指定する情報が含まれていないと判定した場合（ステップＳ２０；Ｙｅｓ）、制御部２２は、新着順の提示順位に応じた提示位置（配列位置）で出品物を配列した新着順の出品物一覧画面６１の情報を生成する（ステップＳ２１）。
【０１７０】
一覧要求に配信条件を指定する情報が含まれていると判定した場合（ステップＳ２０；Ｎｏ）、制御部２２は、配列条件で指定された提示順位に応じた提示位置（配列位置）で出品物を配列した配列条件に応じた出品物一覧画面６１の情報を生成する（ステップＳ２２）。
【０１７１】
〔４．変形例〕
上述した実施形態では、出品物取引処理装置１の制御部２２は、配列条件に応じた提示順番で提示位置を特定して出品物一覧画面６１を生成したが、出品物一覧画面６１の場合と同様に、閲覧処理部４２は、配列条件に応じた提示順番で提示位置を特定して評価出品物一覧を生成することもできる。
【０１７２】
また、提示順位決定部４７は、例えば、新着順の提示順位を仮決定し、ユーザＵ自身が注目している出品物が繰り上がるように提示順位を調整し、さらに、下り幅ΔＰが大きいほど提示順位が繰り上がるようにしたりして、提示順位を本決定することもできる。
【０１７３】
また、提示順位決定部４７は、提示順位が重複しないように出品物の提示順位を決定することができ、また、提示順位が所定数毎に重複するように出品物の提示順位を決定することができる。
【０１７４】
また、上述した実施形態では、取引価格Ｐの下げ幅ΔＰに応じて提示順番が繰り上がるが、提示順位決定部４７は、取引価格Ｐの下げ回数に応じて提示順番を繰り上げることができる。例えば、提示順位決定部４７は、取引価格Ｐの下げ回数が多いほど繰り上げ数Ｎａを大きくすることができる。また、提示順位決定部４７は、下げ幅ΔＰが大きいほど且つ取引価格Ｐの下げ回数が多いほど繰り上げ数Ｎａを大きくすることができる。
【０１７５】
〔５．ハードウェア構成〕
上述した実施形態における出品物取引処理装置１および端末装置２は、それぞれ例えば図１２に示すような構成のコンピュータ２００がプログラムを実行することによって実現される。
【０１７６】
図１２は、プログラムを実行するコンピュータのハードウェア構成の一例を示す図である。コンピュータ２００は、ＣＰＵ２０１、ＲＡＭ２０２、ＲＯＭ２０３、ＨＤＤ２０４、通信インターフェイス（Ｉ／Ｆ）２０５、入出力インターフェイス（Ｉ／Ｆ）２０６、およびメディアインターフェイス（Ｉ／Ｆ）２０７を備える。
【０１７７】
ＣＰＵ２０１は、ＲＯＭ２０３またはＨＤＤ２０４に格納されたプログラムに基づいて動作し、各部の制御を行う。ＲＯＭ２０３は、コンピュータ２００の起動時にＣＰＵ２０１によって実行されるブートプログラムや、コンピュータ２００のハードウェアに依存するプログラム等を格納する。
【０１７８】
ＨＤＤ２０４は、ＣＰＵ２０１によって実行されるプログラムによって使用されるデータ等を格納する。通信インターフェイス２０５は、各通信部１０、２０に対応し、ネットワーク３を介して他の機器からデータを受信してＣＰＵ２０１へ送り、ＣＰＵ２０１が生成したデータを、ネットワーク３を介して他の機器へ送信する。
【０１７９】
ＣＰＵ２０１は、入出力インターフェイス２０６を介して、ディスプレイやプリンタ等の出力装置、および、キーボードやマウス等の入力装置を制御する。ＣＰＵ２０１は、入出力インターフェイス２０６を介して、入力装置からデータを取得する。また、ＣＰＵ２０１は、生成したデータを、入出力インターフェイス２０６を介して出力装置へ出力する。
【０１８０】
メディアインターフェイス２０７は、記録媒体２０８に格納されたプログラムまたはデータを読み取り、ＲＡＭ２０２を介してＣＰＵ２０１に提供する。ＣＰＵ２０１は、当該プログラムを、メディアインターフェイス２０７を介して記録媒体２０８からＲＡＭ２０２上にロードし、ロードしたプログラムを実行する。記録媒体２０８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１８１】
コンピュータ２００のＣＰＵ２０１は、ＲＡＭ２０２上にロードされたプログラムを実行することにより、上述した制御部（制御部１１または制御部２２）の各機能を実現する。また、かかる制御部は、それぞれ一部または全部がハードウェアのみで構成されてもよい。
【０１８２】
コンピュータ２００のＣＰＵ２０１は、プログラムを、記録媒体２０８から読み取って実行するが、他の例として、他の装置から、ネットワーク３を介してこれらのプログラムを取得してもよい。なお、ＨＤＤ２０４は、各記憶部１４、２１に対応し、各記憶部１４、２１と同様のデータを記憶する。また、ＨＤＤ２０４に代えて、ＲＡＭ、フラッシュメモリ等の半導体メモリ素子、または、光ディスク等の記憶装置を用いてもよい。
【０１８３】
〔６．効果〕
実施形態に係る出品物取引処理装置１は、出品受付部４１（受付部の一例）と、取引価格変更部４５と、提示順位決定部４７と、閲覧処理部４２（配信部の一例）を備える。出品受付部４１は、出品物の取引価格Ｐの設定を受け付ける。取引価格変更部４５は、取引価格Ｐを段階的に下げる。提示順位決定部４７は、取引価格変更部４５によって取引価格Ｐが下げられる出品物に対する注目度に基づいて、出品物の提示順位を決定する。これにより、取引価格の過度な低下を抑制しつつ出品物が購入される可能性を向上させることができる。
【０１８４】
また、閲覧処理部４２（配信部の一例）は、提示順位決定部４８によって決定された提示順位で出品物の情報（例えば、出品物一覧画面）を端末装置２へ配信したり、提示順位決定部４８によって決定された提示順位の情報を端末装置２へ配信したりすることができる。これにより、販売促進が設定された出品物が優先して上位の提示順位にして端末装置２のユーザＵに提示できることから、取引価格Ｐの過度な低下を抑制しつつ出品物が購入される可能性を向上させることができる。
【０１８５】
また、提示順位決定部４７は、出品物の注目度が高いほど、出品物の提示順位を優先的に上位にする。これにより、注目度が高いほど提示順位が上位になるため、注目度が高い出品物が購入される可能性を向上させることができる。
【０１８６】
また、出品物取引処理装置１は、注目度判定部４６を備える。注目度判定部４６は、出品物の閲覧数、出品物の選択登録数、および、出品物の評価ランクの少なくとも一つに基づいて出品物の注目度を判定する。これにより、出品物の注目度を適切に判定することができ、注目度が高い出品物が購入される可能性を向上させることができる。
【０１８７】
また、提示順位決定部４７は、出品物の取引価格Ｐの変動と注目度Ｄａとに基づいて、出品物の提示順位を決定する。これにより、出品物が購入されない状態が継続して取引価格Ｐが下がったことを考慮して提示順番が決定されるため、注目度Ｄａのみの配列順位で出品物を端末装置２のユーザＵへ提示する場合に比べて、取引価格が変動する出品物を効果的に端末装置２のユーザＵへ提示することができる。
【０１８８】
また、提示順位決定部４７は、注目度Ｄａが新しいほど出品物の提示順位を上位にしつつ、取引価格Ｐの変動に基づいて出品物の提示順位を上位に繰り上げる。これにより、取引価格Ｐの変動があった出品物を効果的に端末装置２のユーザＵへ提示することができる。また、取引価格Ｐの変動があるほど提示順位が上位になるため、取引価格Ｐの変動があるほど購入される機会を高めることができる。
【０１８９】
また、提示順位決定部４７は、出品物の出品開始日時が新しいほど出品物の提示順位を上位にしつつ、出品物の注目度Ｄａに基づいて出品物の提示順位を上位に繰り上げる。これにより、時間の経過と共に、提示位置が下位の位置になるような場合であっても、注目度Ｄａが高い出品物の場合には、提示位置が繰り上がるため、取引価格Ｐの過度な低下を抑制しつつ出品物が購入される可能性を向上させることができる。
【０１９０】
また、提示順位決定部４７は、取引価格Ｐが高いほどまたは低いほど出品物の提示順位を上位にしつつ、出品物の注目度Ｄａの変動に基づいて出品物の提示順位を上位に繰り上げる。これにより、価格順の提示順位において、出品物の注目度Ｄａが高い場合には、提示位置が繰り上がるため、取引価格Ｐの過度な低下を抑制しつつ出品物が購入される可能性を向上させることができる。
【０１９１】
また、出品物取引処理装置１は、各ユーザＵが注目した出品物の情報を記憶する記憶部２１を備える。提示順位決定部４７は、出品物の提示先になるユーザＵ（例えば、閲覧要求元の端末装置２のユーザＵ）が注目した出品物（例えば、上述した注目出品物）との類似度が高いほど出品物の提示順位を優先的に上位にする。これによって、ユーザＵ毎に注目度が高い出品物の提示順位を優先的に上位にすることができ、出品物の購入の可能性を高めることができる。
【０１９２】
また、提示順位決定部４７は、出品物の提示先になるユーザＵが注目して購入に至っていない出品物との類似度が高い出品物ほど提示順位を優先的に上位にする。これにより、ユーザＵが注目している出品物が購入される可能性を高めることができる。
【０１９３】
また、提示順位決定部４７は、提示先になるユーザＵが注目して購入に至った出品物を、出品物の提示先になるユーザＵが注目した出品物から除外する。これにより、ユーザＵが過去に注目したが現在は購入される可能性が低い出品物の提示順位が上位になることを防止することができ、出品物が購入される可能性を高めることができる。
【０１９４】
上述した出品物取引処理装置１は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１９５】
また、上記してきた「部（section、module、unit）」は、「手段」や「回路」などに読み替えることができる。例えば、処理部は、処理手段や処理回路に読み替えることができる。
【０１９６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１９７】
１  出品物取引処理装置
２１  記憶部
２２  制御部
３１  ユーザ情報記憶部
３２  出品情報記憶部
４１  出品受付部（受付部の一例）
４２  閲覧処理部（配信部の一例）
４３  登録処理部
４４  購入処理部
４５  取引価格変更部
４６  注目度判定部
４７  提示順位決定部
【図１】
2018049371.tif 000003
【図２】
2018049371.tif 000004
【図３】
2018049371.tif 000005
【図４】
2018049371.tif 000006
【図５】
2018049371.tif 000007
【図６】
2018049371.tif 000008
【図７】
2018049371.tif 000009
【図８】
2018049371.tif 000010
【図９】
2018049371.tif 000011
【図１０】
2018049371.tif 000012
【図１１】
2018049371.tif 000013
【図１２】
2018049371.tif 000014
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
出品物の取引価格の設定を受け付ける受付部と、
前記取引価格を段階的に下げる取引価格変更部と、
前記取引価格変更部によって前記取引価格が下げられる前記出品物に対するコメントの数に基づいて、前記出品物の提示順位を決定する提示順位決定部と、を備える
ことを特徴とする出品物取引処理装置。
【請求項２】
前記提示順位決定部によって決定された提示順位で前記出品物の情報を配信する配信部を備える
ことを特徴とする請求項１に記載の出品物取引処理装置。
【請求項３】
前記提示順位決定部によって決定された提示順位の情報を配信する配信部を備える
ことを特徴とする請求項１に記載の出品物取引処理装置。
【請求項４】
前記提示順位決定部は、
前記コメントの数が多いほど、前記出品物の提示順位を優先的に上位にする
ことを特徴とする請求項１〜３のいずれか一つに記載の出品物取引処理装置。
【請求項５】
前記出品物に対するコメントを取得する取得部と、
前記取得部によって取得されたコメントを記憶する記憶部と、を備え、
前記記憶部に記憶された前記出品物に対する前記コメントの数に基づいて、前記出品物の提示順位を決定する
ことを特徴とする請求項１〜４のいずれか一つに記載の出品物取引処理装置。
【請求項６】
前記提示順位決定部は、
前記取引価格の変動と前記コメントの数とに基づいて、前記出品物の提示順位を決定する
ことを特徴とする請求項１〜５のいずれか一つに記載の出品物取引処理装置。
【請求項７】
前記提示順位決定部は、
前記コメントの数が多いほど前記提示順位を上位にしつつ、前記取引価格の変動に基づいて前記提示順位を上位に繰り上げる
ことを特徴とする請求項１〜６のいずれか一つに記載の出品物取引処理装置。
【請求項８】
前記提示順位決定部は、
前記出品物の出品開始日時が新しいほど前記提示順位を上位にしつつ、前記コメントの数に基づいて前記提示順位を上位に繰り上げる
ことを特徴とする請求項１〜６のいずれか一つに記載の出品物取引処理装置。
【請求項９】
前記提示順位決定部は、
前記取引価格が高いほどまたは低いほど前記提示順位を上位にしつつ、前記コメントの数の変動に基づいて前記提示順位を上位に繰り上げる
ことを特徴とする請求項１〜８のいずれか一つに記載の出品物取引処理装置。
【請求項１０】
各ユーザが注目した出品物の情報を記憶する記憶部を備え、
前記提示順位決定部は、
前記出品物の提示先になるユーザが注目した出品物との類似度が高いほど前記出品物の提示順位を優先的に上位にする
ことを特徴とする請求項１〜９のいずれか一つに記載の出品物取引処理装置。
【請求項１１】
前記提示順位決定部は、
前記出品物の提示先になるユーザが注目して購入に至っていない出品物との類似度が高い出品物ほど前記提示順位を優先的に上位にする
ことを特徴とする請求項１０に記載の出品物取引処理装置。
【請求項１２】
前記提示順位決定部は、
前記提示先になるユーザが注目して購入に至った出品物を、前記出品物の提示先になるユーザが注目した出品物から除外する
ことを特徴とする請求項１０または１１に記載の出品物取引処理装置。
【請求項１３】
コンピュータが実行する出品物取引処理方法であって、
出品物の取引価格の設定を受け付ける受付工程と、
前記取引価格を段階的に下げる取引価格変更工程と、
前記取引価格変更工程によって前記取引価格が下げられる前記出品物に対するコメントの数に基づいて、前記出品物の提示順位を決定する提示順位決定工程と、を含む
ことを特徴とする出品物取引処理方法。
【請求項１４】
出品物の取引価格の設定を受け付ける受付手順と、
前記取引価格を段階的に下げる取引価格変更手順と、
前記取引価格変更手順によって前記取引価格が下げられる前記出品物に対するコメントの数に基づいて、前記出品物の提示順位を決定する提示順位決定手順と、
をコンピュータに実行させることを特徴とする出品物取引処理プログラム。
【手続補正２】
【補正対象書類名】明細書
【補正対象項目名】０００７
【補正方法】変更
【補正の内容】
【０００７】
本願に係る出品物取引処理装置は、受付部と、取引価格変更部と、提示順位決定部とを備える。前記受付部は、出品物の取引価格の設定を受け付ける。前記取引価格変更部は、取引価格を段階的に下げる。前記提示順位決定部は、前記取引価格変更部によって前記取引価格が下げられる前記出品物に対するコメントの数に基づいて、前記出品物の提示順位を決定する。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
出品物の取引価格の設定を受け付ける受付部と、
前記取引価格を段階的に下げる取引価格変更部と、
前記取引価格変更部によって前記取引価格が下げられる前記出品物に対するコメントの数が多いほど前記出品物の提示順位を上位にしつつ、前記取引価格の下げ回数が多いほど前記提示順位を上位に繰り上げる提示順位決定部と、を備える
ことを特徴とする出品物取引処理装置。
【請求項２】
前記提示順位決定部によって決定された提示順位で前記出品物の情報を配信する配信部を備える
ことを特徴とする請求項１に記載の出品物取引処理装置。
【請求項３】
前記提示順位決定部によって決定された提示順位の情報を配信する配信部を備える
ことを特徴とする請求項１に記載の出品物取引処理装置。
【請求項４】
前記出品物に対するコメントを取得する取得部と、
前記取得部によって取得されたコメントを記憶する記憶部と、を備え、
前記記憶部に記憶された前記出品物に対する前記コメントの数に基づいて、前記出品物の提示順位を決定する
ことを特徴とする請求項１〜３のいずれか一つに記載の出品物取引処理装置。
【請求項５】
前記提示順位決定部は、
前記出品物の出品開始日時が新しいほど前記提示順位を上位にしつつ、前記コメントの数に基づいて前記提示順位を上位に繰り上げる
ことを特徴とする請求項１〜４のいずれか一つに記載の出品物取引処理装置。
【請求項６】
前記提示順位決定部は、
前記取引価格が高いほどまたは低いほど前記提示順位を上位にしつつ、前記コメントの数の変動に基づいて前記提示順位を上位に繰り上げる
ことを特徴とする請求項１〜５のいずれか一つに記載の出品物取引処理装置。
【請求項７】
各ユーザが注目した出品物の情報を記憶する記憶部を備え、
前記提示順位決定部は、
前記出品物の提示先になるユーザが注目した出品物との類似度が高いほど前記出品物の提示順位を優先的に上位にする
ことを特徴とする請求項１〜６のいずれか一つに記載の出品物取引処理装置。
【請求項８】
前記提示順位決定部は、
前記出品物の提示先になるユーザが注目して購入に至っていない出品物との類似度が高い出品物ほど前記提示順位を優先的に上位にする
ことを特徴とする請求項７に記載の出品物取引処理装置。
【請求項９】
前記提示順位決定部は、
前記提示先になるユーザが注目して購入に至った出品物を、前記出品物の提示先になるユーザが注目した出品物から除外する
ことを特徴とする請求項７または８に記載の出品物取引処理装置。
【請求項１０】
コンピュータが実行する出品物取引処理方法であって、
出品物の取引価格の設定を受け付ける受付工程と、
前記取引価格を段階的に下げる取引価格変更工程と、
前記取引価格変更工程によって前記取引価格が下げられる前記出品物に対するコメントの数が多いほど前記出品物の提示順位を上位にしつつ、前記取引価格の下げ回数が多いほど前記提示順位を上位に繰り上げる提示順位決定工程と、を含む
ことを特徴とする出品物取引処理方法。 
【請求項１１】
出品物の取引価格の設定を受け付ける受付手順と、
前記取引価格を段階的に下げる取引価格変更手順と、
前記取引価格変更手順によって前記取引価格が下げられる前記出品物に対するコメントの数が多いほど前記出品物の提示順位を上位にしつつ、前記取引価格の下げ回数が多いほど前記提示順位を上位に繰り上げる提示順位決定手順と、
をコンピュータに実行させることを特徴とする出品物取引処理プログラム。 
【手続補正２】
【補正対象書類名】明細書
【補正対象項目名】０００７
【補正方法】変更
【補正の内容】
【０００７】
本願に係る出品物取引処理装置は、受付部と、取引価格変更部と、提示順位決定部とを備える。前記受付部は、出品物の取引価格の設定を受け付ける。前記取引価格変更部は、取引価格を段階的に下げる。前記提示順位決定部は、前記取引価格変更部によって前記取引価格が下げられる前記出品物に対するコメントの数が多いほど前記出品物の提示順位を上位にしつつ、前記取引価格の下げ回数が多いほど前記提示順位を上位に繰り上げる。